(57)【要約】【課題】表示する数字、文字、図形等の秘匿性を維持することが可能な画像表示装置を提供する。【解決手段】本発明に係る画像表示装置は、第１液晶表示パネル１と、該第１液晶表示パネル１の背面側に配備された第２液晶表示パネル２と、第１液晶表示パネル１と第２液晶表示パネル２に画像を表示せしめる画像表示手段５とを具えている。ここで、画像表示手段５は、第１液晶表示パネル１に、濃度値の低い低濃度部と該低濃度部よりも濃度値の高い高濃度部とからなる第１画像を表示せしめる第１画像表示部51と、第２液晶表示パネル２に、濃度値の低い低濃度部と該低濃度部よりも濃度値の高い高濃度部とからなる第２画像を表示せしめる第２画像表示部52とを有し、第１液晶表示パネル１の前面に対して所定の角度範囲内から画像を観察した場合に、第１画像と第２画像とが重なり合って所定の合成画像が生成される。【選択図】図２
2011100052.tif 000002
【特許請求の範囲】
【請求項１】
第１液晶表示パネルと、該第１液晶表示パネルの背面側に配備された第２液晶表示パネルと、前記第１液晶表示パネルと第２液晶表示パネルに画像を表示せしめる画像表示手段とを具えた画像表示装置において、前記画像表示手段は、
第１液晶表示パネルに、濃度値の低い低濃度部と該低濃度部よりも濃度値の高い高濃度部とからなる第１画像を表示せしめる第１画像表示部と、
第２液晶表示パネルに、濃度値の低い低濃度部と該低濃度部よりも濃度値の高い高濃度部とからなる第２画像を表示せしめる第２画像表示部
とを有し、第１液晶表示パネルの前面に対して所定の角度範囲内から画像を観察した場合に、第１液晶表示パネルに表示されている第１画像と第２液晶表示パネルに表示されている第２画像とが重なり合って、所定の合成画像が生成されることを特徴とする画像表示装置。
【請求項２】
第１画像と第２画像の低濃度部どうしの重複領域により、前記所定の合成画像の低濃度部が形成される請求項１に記載の画像表示装置。
【請求項３】
前記第１画像及び第２画像はそれぞれ、低濃度部によって所定の画像パターンを有する画像パターン部を形成すると共に、高濃度部によって前記画像パターン部を包囲するバックグランド部を形成し、前記第１画像と第２画像の少なくとも何れか一方の画像の画像パターン部には、前記所定の合成画像を構成しないダミーの画像パターン部が含まれ、該ダミーの画像パターン部は、第１画像又は第２画像のバックグランド部と重なっている請求項１又は請求項２に記載の画像表示装置。
【請求項４】
所定の合成画像を生成すべき第１画像と第２画像とが互いに関連付けて記録されているメモリを更に具え、前記第１画像表示部と第２画像表示部は、互いに関連付けられている第１画像と第２画像とを前記メモリから読み出して、両画像をそれぞれ前記第１液晶表示パネルと第２液晶表示パネルに表示する請求項１乃至請求項３の何れかに記載の画像表示装置。
【請求項５】
前記制御手段は、前記第１画像表示部により第１液晶表示パネルに表示される第１画像の表示位置と、前記第２画像表示部により第２液晶表示パネルに表示される第２画像の表示位置とを調整する調整部を更に有し、該調整部は、第１画像の表示位置と第２画像の表示位置とを調整して、第１画像と第２画像とを第１液晶表示パネルの前面に対する所定の角度方向において重ね合わせる請求項１乃至請求項４の何れかに記載の画像表示装置。
【請求項６】
前記第２画像の低濃度部は、前記第１画像の低濃度部の幅寸法よりも大きな幅寸法を有している請求項１乃至請求項５の何れかに記載の画像表示装置。
【発明の詳細な説明】
【技術分野】
【０００１】
本発明は、２つ以上の液晶表示パネルを重ね合わせて構成された画像表示装置に関する。
【背景技術】
【０００２】
従来から、ＡＴＭ（Automated  Teller  Machine）等、画像を表示することが必要な装置には、液晶表示パネルを具えた画像表示装置が適用されている。液晶表示パネルは、その視野角を狭くして、所定の角度範囲内で画像が確認された場合のみ該画像を視認させることが可能である。このため、特に暗証番号等、秘匿性の高い数字や文字等を入力するための画像を表示するＡＴＭ等の装置に、液晶表示パネルを具えた画像表示装置を適用することは、入力される数字や文字等の秘匿性が維持される点で有益である。
【０００３】
一方、ＡＴＭ等の装置において、利用者による操作がない場合には、画像表示装置により広告等の画像を表示させることが可能である。この様な画像は、液晶表示パネルの前面に対して広い角度範囲で視認可能であることが望ましい。しかしながら、広い角度範囲で画像が視認可能であると、ＡＴＭの利用者が暗証番号を入力する際に、該利用者以外の者に該暗証番号が認識される虞がある。
【先行技術文献】
【特許文献】
【０００４】
【特許文献１】特開２００９−１５０９９９号公報
【発明の概要】
【発明が解決しようとする課題】
【０００５】
ところで、近年、２つの液晶表示パネルを重ね合わせて構成された画像表示装置を、ＡＴＭ等の装置に適用することが提案されている（例えば特許文献１参照）。これにより、様々な視覚効果を有する画像を表示することが可能である。
【０００６】
この様な画像表示装置においては、特許文献１に開示の如く、２つの液晶表示パネルの内、後方に配置されている液晶表示パネルの視野角を狭くして、秘匿性の高い情報を含む画像を該液晶表示パネルに表示し、前方に配置されている液晶表示パネルの視野角を広くして、広告等の画像を該液晶表示パネルに表示することが可能である。これにより、暗証番号等の秘匿性を維持しつつ、広告等の画像については広い角度範囲で視認することが可能となる。
【０００７】
しかしながら、特許文献１に開示の画像表示装置においては、広い角度範囲での視認を可能にすべき画像は、前方に配置されている液晶表示パネルにしか表示させることが出来ないため、視覚効果が低減する問題がある。
又、近年、ＡＴＭ等の装置において、暗証番号等の秘匿性をより確実に維持できることが求められている。
【０００８】
そこで本発明の目的は、表示する数字、文字、図形等の秘匿性を維持することが可能な画像表示装置を提供することである。
【課題を解決するための手段】
【０００９】
本発明に係る第１の画像表示装置は、第１液晶表示パネルと、該第１液晶表示パネルの背面側に配備された第２液晶表示パネルと、前記第１液晶表示パネルと第２液晶表示パネルに画像を表示せしめる画像表示手段とを具えている。ここで、前記画像表示手段は、第１液晶表示パネルに、濃度値の低い低濃度部と該低濃度部よりも濃度値の高い高濃度部とからなる第１画像を表示せしめる第１画像表示部と、第２液晶表示パネルに、濃度値の低い低濃度部と該低濃度部よりも濃度値の高い高濃度部とからなる第２画像を表示せしめる第２画像表示部とを有し、第１液晶表示パネルの前面に対して所定の角度範囲内から画像を観察した場合に、第１液晶表示パネルに表示されている第１画像と第２液晶表示パネルに表示されている第２画像とが重なり合って、所定の合成画像が生成される。
【００１０】
上記第１の画像表示装置においては、第１画像と第２画像とが重なり合ったとき、両画像の低濃度部どうしの重複領域により所定の合成画像の低濃度部が形成され、両画像の高濃度部全体により所定の合成画像の高濃度部が形成されることになる。従って、第１液晶表示パネルの前面に対して所定の角度範囲内から画像を観察した場合、第１画像及び第２画像は個々に視認されることがなく、所定の合成画像のみが視認されることになる。
【００１１】
これに対し、第１液晶表示パネルの前面に対して所定の角度範囲外から画像を観察した場合、第１画像と第２画像とが互いにずれることになる。これは、第１液晶表示パネルと第２液晶表示パネルが何れも、液晶を２枚のガラス板の間に挟んで構成されており、このため、第１液晶表示パネル側の液晶と第２液晶表示パネル側の液晶とが、少なくともガラス板の厚さ寸法分だけ離間して配置されているからである。
従って、所定の角度範囲外から画像を観察した場合、第１画像と第２画像とが個々に視認され、所定の合成画像は視認されることがなくなる。ここで、第１画像又は第２画像を所定の合成画像と異なる画像に設定することにより、所定の角度範囲外からでは、所定の合成画像がどのような画像であるかを認識することが困難となる。
【００１２】
よって、画像表示装置の利用者以外の者により所定の合成画像が視認されることが防止されることになる。従って、上記画像表示装置において秘匿性の高い合成画像を表示した場合でも、利用者以外の者には該合成画像が認識され難く、その結果、該合成画像の秘匿性が維持されることになる。
【００１３】
本発明に係る第２の画像表示装置は、上記第１の画像表示装置であって、第１画像と第２画像の低濃度部どうしの重複領域により、前記所定の合成画像の低濃度部が形成される。
【００１４】
本発明に係る第３の画像表示装置は、上記第１又は第２の画像表示装置であって、前記第１画像及び第２画像はそれぞれ、低濃度部によって所定の画像パターンを有する画像パターン部を形成すると共に、高濃度部によって前記画像パターン部を包囲するバックグランド部を形成し、前記第１画像と第２画像の少なくとも何れか一方の画像の画像パターン部には、前記所定の合成画像を構成しないダミーの画像パターン部が含まれ、該ダミーの画像パターン部は、第１画像又は第２画像のバックグランド部と重なっている。
【００１５】
上記第３の画像表示装置によれば、第１液晶表示パネルの前面に対して所定の角度範囲内から画像を観察した場合、ダミーの画像パターン部は、第１画像又は第２画像の内、所定の合成画像の高濃度部を形成するバックグランド部に重なることになる。従って、所定の角度範囲内からは、ダミーの画像パターン部は視認されることがない。
これに対し、第１液晶表示パネルの前面に対して所定の角度範囲外から画像を観察した場合、ダミーの画像パターン部はバックグランド部に重なり難くなる。従って、所定の角度範囲外からは、ダミーの画像パターン部が視認されることになる。
【００１６】
本発明に係る第４の画像表示装置は、上記第１乃至第３の画像表示装置の何れかの画像表示装置であって、所定の合成画像を生成すべき第１画像と第２画像とが互いに関連付けて記録されているメモリを更に具え、前記第１画像表示部と第２画像表示部は、互いに関連付けられている第１画像と第２画像とを前記メモリから読み出して、両画像をそれぞれ前記第１液晶表示パネルと第２液晶表示パネルに表示する。
【００１７】
本発明に係る第５の画像表示装置は、上記第１乃至第４の画像表示装置の何れかの画像表示装置であって、前記制御手段は、前記第１画像表示部により第１液晶表示パネルに表示される第１画像の表示位置と、前記第２画像表示部により第２液晶表示パネルに表示される第２画像の表示位置とを調整する調整部を更に有し、該調整部は、第１画像の表示位置と第２画像の表示位置とを調整して、第１画像と第２画像とを第１液晶表示パネルの前面に対する所定の角度方向において重ね合わせる。
【００１８】
上記第５の画像表示装置によれば、所定の合成画像の視認が可能となる所定の角度方向を調整することが可能となる。
【００１９】
本発明に係る第６の画像表示装置は、上記第１乃至第５の画像表示装置の何れかの画像表示装置であって、前記第２画像の低濃度部は、前記第１画像の低濃度部の幅寸法よりも大きな幅寸法を有している。
【００２０】
上記第６の画像表示装置によれば、所定の角度範囲内から所定の合成画像を確実に視認することが可能となる。
【００２１】
本発明に係る第７の画像表示装置は、上記第１乃至第６の画像表示装置の何れかの画像表示装置であって、前記第１液晶表示パネルの前面には、該前面を覆って、光透過性を有する入力用タッチパネルが設置されている。
【００２２】
上記第７の画像表示装置によれば、入力用タッチパネルの内、所定の合成画像と重なる領域に触れることにより、数字や文字等の入力が可能となる。
【発明の効果】
【００２３】
本発明に係る画像表示装置は、表示する数字、文字、図形等の秘匿性を維持することが可能である。
【図面の簡単な説明】
【００２４】
【図１】図１は、本発明の一実施形態に係る画像表示装置を示す分解斜視図である。
【図２】図２は、該画像表示装置の構成を示すブロック図である。
【図３】図３は、（ａ）数字の０を表す所定の合成画像を生成する第１画像と、（ｂ）数字の０を表す所定の合成画像を生成する第２画像と、（ｃ）数字の０を表す所定の合成画像とを示す図である。
【図４】図４は、（ａ）数字の１を表す所定の合成画像を生成する第１画像と、（ｂ）数字の１を表す所定の合成画像を生成する第２画像と、（ｃ）数字の１を表す所定の合成画像とを示す図である。
【図５】図５は、（ａ）数字の２を表す所定の合成画像を生成する第１画像と、（ｂ）数字の２を表す所定の合成画像を生成する第２画像と、（ｃ）数字の２を表す所定の合成画像とを示す図である。
【図６】図６は、（ａ）数字の３を表す所定の合成画像を生成する第１画像と、（ｂ）数字の３を表す所定の合成画像を生成する第２画像と、（ｃ）数字の３を表す所定の合成画像とを示す図である。
【図７】図７は、（ａ）数字の４を表す所定の合成画像を生成する第１画像と、（ｂ）数字の４を表す所定の合成画像を生成する第２画像と、（ｃ）数字の４を表す所定の合成画像とを示す図である。
【図８】図８は、（ａ）数字の５を表す所定の合成画像を生成する第１画像と、（ｂ）数字の５を表す所定の合成画像を生成する第２画像と、（ｃ）数字の５を表す所定の合成画像とを示す図である。
【図９】図９は、（ａ）数字の６を表す所定の合成画像を生成する第１画像と、（ｂ）数字の６を表す所定の合成画像を生成する第２画像と、（ｃ）数字の６を表す所定の合成画像とを示す図である。
【図１０】図１０は、（ａ）数字の７を表す所定の合成画像を生成する第１画像と、（ｂ）数字の７を表す所定の合成画像を生成する第２画像と、（ｃ）数字の７を表す所定の合成画像とを示す図である。
【図１１】図１１は、（ａ）数字の８を表す所定の合成画像を生成する第１画像と、（ｂ）数字の８を表す所定の合成画像を生成する第２画像と、（ｃ）数字の８を表す所定の合成画像とを示す図である。
【図１２】図１２は、（ａ）数字の９を表す所定の合成画像を生成する第１画像と、（ｂ）数字の９を表す所定の合成画像を生成する第２画像と、（ｃ）数字の９を表す所定の合成画像とを示す図である。
【図１３】図１３は、ＡＴＭに適用された画像表示装置に表示される所定の合成画像の一例を示す図である。
【図１４】図１４は、ＡＴＭに適用された画像表示装置の第１液晶表示パネルに表示される第１画像を示す図である。
【図１５】図１５は、ＡＴＭに適用された画像表示装置の第２液晶表示パネルに表示される第２画像を示す図である。
【図１６】図１６は、上記画像表示装置の第１変形例の構成を示すブロック図である。
【図１７】図１７は、上記画像表示装置の第２変形例において、（ａ）第１液晶表示パネルに表示される第１画像と、（ｂ）第２液晶表示パネルに表示される第２画像と、（ｃ）第１画像と第２画像から生成される所定の合成画像とを示す図である。
【図１８】図１８は、（ａ）所定の合成画像の視認が可能な角度範囲と、（ｂ）所定の合成画像を生成する第１画像と第２画像との位置関係とを説明する図である。
【図１９】図１９は、（ａ）所定の合成画像の視認が可能な角度範囲と、（ｂ）所定の合成画像を生成する第１画像と第２画像との位置関係とを説明する図である。
【図２０】図２０は、（ａ）所定の合成画像の視認が可能な角度範囲と、（ｂ）所定の合成画像を生成する第１画像と第２画像との位置関係とを説明する図である。
【図２１】図２１は、上記画像表示装置の第３変形例の構成を示すブロック図である。
【図２２】図２２は、第３変形例に係る画像表示装置において表示される所定の合成画像の一例を示した図である。
【発明を実施するための形態】
【００２５】
以下、本発明の実施の形態につき、図面に沿って具体的に説明する。
図１に示す様に、本発明の一実施形態に係る画像表示装置は、第１液晶表示パネル(１)と、該第１液晶表示パネル(１)の背面側に配備された第２液晶表示パネル(２)と、第２液晶表示パネル(２)の背面側に設置されたバックライトユニット(３)とを具えている。
【００２６】
図示していないが、バックライトユニット(３)は、第１液晶表示パネル(１)と第２液晶表示パネル(２)とを第２液晶表示パネル(２)の背面側から照明する光源を有している。両液晶表示パネル(１)(２)への画像の表示には、背面側から入射するバックライトユニット(３)の光が利用される。
【００２７】
図示していないが、第１液晶表示パネル(１)と第２液晶表示パネル(２)は何れも、液晶を一対のガラス板の間に挟むと共に、該一対のガラス板の前面側と背面側に、偏光方向が互いに直交した２枚の偏光板を設けて構成されている。両液晶表示パネル(１)(２)にはそれぞれ、画素毎に液晶の向きを調整することにより、バックライトユニット(３)からの光が透過して濃度値が低い低濃度部と、バックライトユニット(３)からの光が遮断されて濃度値が高い高濃度部とからなる画像を表示することが出来る。
【００２８】
図１に示す様に、第１液晶表示パネル(１)と第２液晶表示パネル(２)は、フレーム体(４)に嵌め込まれており、該フレーム体(４)の内面には、両液晶表示パネル(１)(２)間に介在するスペーサ(41)が突設されている。これにより、第１液晶表示パネル(１)と第２液晶表示パネル(２)とがスペーサ(41)の厚さ寸法Ｔ分だけ離間して配置されることになる。従って、スペーサ(41)の厚さ寸法Ｔを調整することにより、第１液晶表示パネル(１)と第２液晶表示パネル(２)との間の距離を調整することが出来る。
【００２９】
図２に示す様に、画像表示装置は更に、第１液晶表示パネル(１)と第２液晶表示パネル(２)に画像を表示せしめる画像表示手段(５)を具えている。画像表示手段(５)は、第１液晶表示パネル(１)に画像を表示せしめる第１画像表示部(51)と、第２液晶表示パネル(２)に画像を表示せしめる第２画像表示部(52)とを有している。尚、画像表示手段(５)には、例えばＩＣ（Integrated  Circuit）やＬＳＩ（Large  Scale  Integration）を採用することが出来る。
【００３０】
上記画像表示装置によれば、第１液晶表示パネル(１)の前面側から画像を観察した場合に、第１液晶表示パネル(１)に表示される画像と第２液晶表示パネル(２)に表示される画像とが重なり合った合成画像が生成されることになる。これにより、画像表示装置の利用者に、様々な視覚効果を有する画像、例えば立体感のある画像を視認させることが可能である。
【００３１】
更に、上記画像表示装置は、立体感のある合成画像だけでなく、平面的な所定の合成画像を生成することが可能である。図３（ｃ）〜図１２（ｃ）に示す様に、本実施形態の画像表示装置は、濃度値の低い低濃度部から形成されて０〜９の何れかの数字を表す画像パターンを有する画像パターン部と、低濃度部よりも濃度値の高い高濃度部から形成されて画像パターン部を包囲するバックグランド部とからなる所定の合成画像Ｉｃ（ｎ）（ｎは、画像パターンによって表される数字である）を生成することが可能である。尚、本実施形態においては、低濃度部が白色に表示され、高濃度部が黒色に表示される。
【００３２】
ここで、所定の合成画像Ｉｃ（ｎ）の画像パターン部はそれぞれ、８の字を構成する７つの矩形パターン部(81)〜(87)（図１１（ｃ）参照）から選択された矩形パターン部によって形成されている。７つの矩形パターン部(81)〜(87)の内、左側の上段と下段に位置する２つの矩形パターン部(81)(82)と、右側の上段と下段に位置する２つの矩形パターン部(83)(84)は、縦方向に延びている。一方、７つの矩形パターン部(81)〜(87)の内、中央の上段、中段、下段に位置する３つの矩形パターン部(85)(86)(87)は、横方向に延びている。
【００３３】
具体的には以下の通りである。
数字の０を表す所定の合成画像Ｉｃ（０）の画像パターン部は、図３（ｃ）に示す様に、左側上段の矩形パターン部(81)と、左側下段の矩形パターン部(82)と、右側上段の矩形パターン部(83)と、右側下段の矩形パターン部(84)と、中央上段の矩形パターン部(85)と、中央下段の矩形パターン部(87)とから形成されている。
【００３４】
数字の１を表す所定の合成画像Ｉｃ（１）の画像パターン部は、図４（ｃ）に示す様に、右側上段の矩形パターン部(83)と、右側下段の矩形パターン部(84)とから形成されている。
【００３５】
数字の２を表す所定の合成画像Ｉｃ（２）の画像パターン部は、図５（ｃ）に示す様に、左側下段の矩形パターン部(82)と、右側上段の矩形パターン部(83)と、中央上段の矩形パターン部(85)と、中央中段の矩形パターン部(86)と、中央下段の矩形パターン部(87)とから形成されている。
【００３６】
数字の３を表す所定の合成画像Ｉｃ（３）の画像パターン部は、図６（ｃ）に示す様に、右側上段の矩形パターン部(83)と、右側下段の矩形パターン部(84)と、中央上段の矩形パターン部(85)と、中央中段の矩形パターン部(86)と、中央下段の矩形パターン部(87)とから形成されている。
【００３７】
数字の４を表す所定の合成画像Ｉｃ（４）の画像パターン部は、図７（ｃ）に示す様に、左側上段の矩形パターン部(81)と、右側上段の矩形パターン部(83)と、右側下段の矩形パターン部(84)と、中央中段の矩形パターン部(86)とから形成されている。
【００３８】
数字の５を表す所定の合成画像Ｉｃ（５）の画像パターン部は、図８（ｃ）に示す様に、左側上段の矩形パターン部(81)と、右側下段の矩形パターン部(84)と、中央上段の矩形パターン部(85)と、中央中段の矩形パターン部(86)と、中央下段の矩形パターン部(87)とから形成されている。
【００３９】
数字の６を表す所定の合成画像Ｉｃ（６）の画像パターン部は、図９（ｃ）に示す様に、左側上段の矩形パターン部(81)と、左側下段の矩形パターン部(82)と、右側下段の矩形パターン部(84)と、中央上段の矩形パターン部(85)と、中央中段の矩形パターン部(86)と、中央下段の矩形パターン部(87)とから形成されている。
【００４０】
数字の７を表す所定の合成画像Ｉｃ（７）の画像パターン部は、図１０（ｃ）に示す様に、右側上段の矩形パターン部(83)と、右側下段の矩形パターン部(84)と、中央上段の矩形パターン部(85)とから形成されている。
【００４１】
数字の８を表す所定の合成画像Ｉｃ（８）の画像パターン部は、図１１（ｃ）に示す様に、左側上段の矩形パターン部(81)と、左側下段の矩形パターン部(82)と、右側上段の矩形パターン部(83)と、右側下段の矩形パターン部(84)と、中央上段の矩形パターン部(85)と、中央中段の矩形パターン部(86)と、中央下段の矩形パターン部(87)とから形成されている。
【００４２】
数字の９を表す所定の合成画像Ｉｃ（９）の画像パターン部は、図１２（ｃ）に示す様に、左側上段の矩形パターン部(81)と、右側上段の矩形パターン部(83)と、右側下段の矩形パターン部(84)と、中央上段の矩形パターン部(85)と、中央中段の矩形パターン部(86)と、中央下段の矩形パターン部(87)とから形成されている。
【００４３】
上記数字を表す所定の合成画像Ｉｃ（ｎ）を生成する場合、第１画像表示部(51)と第２画像表示部(52)はそれぞれ、第１液晶表示パネル(１)と第２液晶表示パネル(２)に、所定の合成画像Ｉｃ（ｎ）を生成する第１画像Ｉａ（ｎ）（図３（ａ）〜図１２（ａ）参照）と第２画像Ｉｂ（ｎ）（図３（ｂ）〜図１２（ｂ）参照）を表示する。
【００４４】
図２に示す様に、画像表示装置はメモリ(６)を更に具え、該メモリ(６)には、所定の合成画像Ｉｃ（ｎ）を生成する第１画像Ｉａ（ｎ）と第２画像Ｉｂ（ｎ）とが互いに関連付けて記録されている。第１液晶表示パネル(１)と第２液晶表示パネル(２)にそれぞれ第１画像Ｉａ（ｎ）と第２画像Ｉｂ（ｎ）を表示させる場合、第１画像表示部(51)と第２画像表示部(52)は、互いに関連付けられている第１画像Ｉａ（ｎ）と第２画像Ｉｂ（ｎ）とをメモリ(６)から読み出して、両画像Ｉａ（ｎ）、Ｉｂ（ｎ）をそれぞれ第１液晶表示パネル(１)と第２液晶表示パネル(２)に表示する。
【００４５】
ここで、第１画像Ｉａ（ｎ）は、濃度値の低い低濃度部から形成されて所定の合成画像Ｉｃ（ｎ）の画像パターンを含む画像パターン部と、低濃度部よりも濃度値の高い高濃度部から形成されて画像パターン部を包囲するバックグランド部とから形成されている。又、第２画像Ｉｂ（ｎ）は、濃度値の低い低濃度部から形成されて所定の合成画像Ｉｃ（ｎ）の画像パターンを含む画像パターン部と、低濃度部よりも濃度値の高い高濃度部から形成されて画像パターン部を包囲するバックグランド部とから形成されている。尚、本実施形態においては、低濃度部が白色に表示され、高濃度部が黒色に表示される。
【００４６】
そして、第１画像Ｉａ（ｎ）と第２画像Ｉｂ（ｎ）の少なくとも何れか一方の画像の画像パターン部には、所定の合成画像Ｉｃ（ｎ）を構成しないダミーの画像パターン部が含まれ、該ダミーの画像パターン部は、第１画像Ｉａ（ｎ）又は第２画像Ｉｂ（ｎ）のバックグランド部と重なっている。
【００４７】
第１画像Ｉａ（ｎ）と第２画像Ｉｂ（ｎ）の一例がそれぞれ、図３（ａ）〜図１２（ａ）と図３（ｂ）〜図１２（ｂ）に示されている。
数字の０を表す所定の合成画像Ｉｃ（０）を生成する場合、図３（ａ）に示す様に、第１画像Ｉａ（０）の低濃度部（画像パターン部）は、所定の合成画像Ｉｃ（０）が有すべき画像パターン（数字の０）と同じ画像パターンを構成する矩形パターン部から形成される。又、図３（ｂ）に示す様に、第２画像Ｉｂ（０）の低濃度部（画像パターン部）は、所定の合成画像Ｉｃ（０）が有すべき画像パターン（数字の０）と同じ画像パターンを構成する矩形パターン部と、ダミーの画像パターン部となる中央中段の矩形パターン部(86)とから形成される。
従って、第１画像Ｉａ（０）は数字の０を表す画像パターンを有し、第２画像Ｉｂ（０）は数字の８を表す画像パターンを有することになる。これにより、第２画像Ｉｂ（０）が有する画像パターンが、所定の合成画像Ｉｃ（０）が有することとなる画像パターンと異なる画像パターンに設定されることになる。
【００４８】
数字の１を表す所定の合成画像Ｉｃ（１）を生成する場合、図４（ａ）に示す様に、第１画像Ｉａ（１）の低濃度部（画像パターン部）は、所定の合成画像Ｉｃ（１）が有すべき画像パターン（数字の１）と同じ画像パターンを構成する矩形パターン部と、ダミーの画像パターン部となる左側上段の矩形パターン部(81)、及び、左側下段の矩形パターン部(82)とから形成される。又、図４（ｂ）に示す様に、第２画像Ｉｂ（１）の低濃度部（画像パターン部）は、所定の合成画像Ｉｃ（１）が有すべき画像パターン（数字の１）と同じ画像パターンを構成する矩形パターン部と、ダミーの画像パターン部となる中央上段の矩形パターン部(85)、中央中段の矩形パターン部(86)、及び、中央下段の矩形パターン部(87)とから形成される。
従って、第１画像Ｉａ（１）は数字の１１を表す画像パターンを有し、第２画像Ｉｂ（１）は数字の３を表す画像パターンを有することになる。これにより、第１画像Ｉａ（１）と第２画像Ｉｂ（１）がそれぞれ有する画像パターンが、所定の合成画像Ｉｃ（１）が有することとなる画像パターンと異なる画像パターンに設定されることになる。
【００４９】
数字の２を表す所定の合成画像Ｉｃ（２）を生成する場合、図５（ａ）に示す様に、第１画像Ｉａ（２）の低濃度部（画像パターン部）は、所定の合成画像Ｉｃ（２）が有すべき画像パターン（数字の２）と同じ画像パターンを構成する矩形パターン部と、ダミーの画像パターン部となる右側下段の矩形パターン部(84)とから形成される。又、図５（ｂ）に示す様に、第２画像Ｉｂ（２）の低濃度部（画像パターン部）は、所定の合成画像Ｉｃ（２）が有すべき画像パターン（数字の２）と同じ画像パターンを構成する矩形パターン部と、ダミーの画像パターン部となる左側上段の矩形パターン部(81)とから形成される。
従って、第１画像Ｉａ（２）は数字の６を表す画像パターンを有し、第２画像Ｉｂ（２）は数字の９を左右逆にした図形を表す画像パターンを有することになる。これにより、第１画像Ｉａ（２）と第２画像Ｉｂ（２）がそれぞれ有する画像パターンが、所定の合成画像Ｉｃ（２）が有することとなる画像パターンと異なる画像パターンに設定されることになる。
【００５０】
数字の３を表す所定の合成画像Ｉｃ（３）を生成する場合、図６（ａ）に示す様に、第１画像Ｉａ（３）の低濃度部（画像パターン部）は、所定の合成画像Ｉｃ（３）が有すべき画像パターン（数字の３）と同じ画像パターンを構成する矩形パターン部と、ダミーの画像パターン部となる左側上段の矩形パターン部(81)、及び、左側下段の矩形パターン部(82)とから形成される。又、図６（ｂ）に示す様に、第２画像Ｉｂ（３）の低濃度部（画像パターン部）は、所定の合成画像Ｉｃ（３）が有すべき画像パターン（数字の３）と同じ画像パターンを構成する矩形パターン部から形成される。
従って、第１画像Ｉａ（３）は数字の８を表す画像パターンを有し、第２画像Ｉｂ（３）は数字の３を表す画像パターンを有することになる。これにより、第１画像Ｉａ（３）が有する画像パターンが、所定の合成画像Ｉｃ（３）が有することとなる画像パターンと異なる画像パターンに設定されることになる。
【００５１】
数字の４を表す所定の合成画像Ｉｃ（４）を生成する場合、図７（ａ）に示す様に、第１画像Ｉａ（４）の低濃度部（画像パターン部）は、所定の合成画像Ｉｃ（４）が有すべき画像パターン（数字の４）と同じ画像パターンを構成する矩形パターン部と、ダミーの画像パターン部となる左側下段の矩形パターン部(82)とから形成される。又、図７（ｂ）に示す様に、第２画像Ｉｂ（４）の低濃度部（画像パターン部）は、所定の合成画像Ｉｃ（４）が有すべき画像パターン（数字の４）と同じ画像パターンを構成する矩形パターン部と、ダミーの画像パターン部となる中央上段の矩形パターン部(85)、及び、中央下段の矩形パターン部(87)とから形成される。
従って、第１画像Ｉａ（４）はアルファベットのＨを表す画像パターンを有し、第２画像Ｉｂ（４）は数字の９を表す画像パターンを有することになる。これにより、第１画像Ｉａ（４）と第２画像Ｉｂ（４）がそれぞれ有する画像パターンが、所定の合成画像Ｉｃ（４）が有することとなる画像パターンと異なる画像パターンに設定されることになる。
【００５２】
数字の５を表す所定の合成画像Ｉｃ（５）を生成する場合、図８（ａ）に示す様に、第１画像Ｉａ（５）の低濃度部（画像パターン部）は、所定の合成画像Ｉｃ（５）が有すべき画像パターン（数字の５）と同じ画像パターンを構成する矩形パターン部と、ダミーの画像パターン部となる右側上段の矩形パターン部(83)とから形成される。又、図８（ｂ）に示す様に、第２画像Ｉｂ（５）の低濃度部（画像パターン部）は、所定の合成画像Ｉｃ（５）が有すべき画像パターン（数字の５）と同じ画像パターンを構成する矩形パターン部と、ダミーの画像パターン部となる左側下段の矩形パターン部(82)とから形成される。
従って、第１画像Ｉａ（５）は数字の９を表す画像パターンを有し、第２画像Ｉｂ（５）は数字の６を表す画像パターンを有することになる。これにより、第１画像Ｉａ（５）と第２画像Ｉｂ（５）がそれぞれ有する画像パターンが、所定の合成画像Ｉｃ（５）が有することとなる画像パターンと異なる画像パターンに設定されることになる。
【００５３】
数字の６を表す所定の合成画像Ｉｃ（６）を生成する場合、図９（ａ）に示す様に、第１画像Ｉａ（６）の低濃度部（画像パターン部）は、所定の合成画像Ｉｃ（６）が有すべき画像パターン（数字の６）と同じ画像パターンを構成する矩形パターン部と、ダミーの画像パターン部となる右側上段の矩形パターン部(83)とから形成される。又、図９（ｂ）に示す様に、第２画像Ｉｂ（６）の低濃度部（画像パターン部）は、所定の合成画像Ｉｃ（６）が有すべき画像パターン（数字の６）と同じ画像パターンを構成する矩形パターン部から形成される。
従って、第１画像Ｉａ（６）は数字の８を表す画像パターンを有し、第２画像Ｉｂ（６）は数字の６を表す画像パターンを有することになる。これにより、第１画像Ｉａ（６）が有する画像パターンが、所定の合成画像Ｉｃ（６）が有することとなる画像パターンと異なる画像パターンに設定されることになる。
【００５４】
数字の７を表す所定の合成画像Ｉｃ（７）を生成する場合、図１０（ａ）に示す様に、第１画像Ｉａ（７）の低濃度部（画像パターン部）は、所定の合成画像Ｉｃ（７）が有すべき画像パターン（数字の７）と同じ画像パターンを構成する矩形パターン部と、ダミーの画像パターン部となる左側上段の矩形パターン部(81)、及び、左側下段の矩形パターン部(82)とから形成される。又、図１０（ｂ）に示す様に、第２画像Ｉｂ（７）の低濃度部（画像パターン部）は、所定の合成画像Ｉｃ（７）が有すべき画像パターン（数字の７）と同じ画像パターンを構成する矩形パターン部と、ダミーの画像パターン部となる中央中段の矩形パターン部(86)、及び、中央下段の矩形パターン部(87)とから形成される。
従って、第１画像Ｉａ（７）はアルファベットのＵを上下逆にした図形を表す画像パターンを有し、第２画像Ｉｂ（７）は数字の３を表す画像パターンを有することになる。これにより、第１画像Ｉａ（７）と第２画像Ｉｂ（７）がそれぞれ有する画像パターンが、所定の合成画像Ｉｃ（７）が有することとなる画像パターンと異なる画像パターンに設定されることになる。
【００５５】
数字の８を表す所定の合成画像Ｉｃ（８）を生成する場合、図１１（ａ）に示す様に、第１画像Ｉａ（８）の低濃度部（画像パターン部）は、所定の合成画像Ｉｃ（８）が有すべき画像パターン（数字の８）と同じ画像パターンを構成する矩形パターン部から形成される。又、図１１（ｂ）に示す様に、第２画像Ｉｂ（８）の低濃度部（画像パターン部）は、所定の合成画像Ｉｃ（８）が有すべき画像パターン（数字の８）と同じ画像パターンを構成する矩形パターン部から形成される。
従って、第１画像Ｉａ（８）は数字の８を表す画像パターンを有し、第２画像Ｉｂ（８）は数字の８を表す画像パターンを有することになる。
【００５６】
数字の９を表す所定の合成画像Ｉｃ（９）を生成する場合、図１２（ａ）に示す様に、第１画像Ｉａ（９）の低濃度部（画像パターン部）は、所定の合成画像Ｉｃ（９）が有すべき画像パターン（数字の９）と同じ画像パターンを構成する矩形パターン部と、ダミーの画像パターン部となる左側下段の矩形パターン(82)とから形成される。又、図１２（ｂ）に示す様に、第２画像Ｉｂ（９）の低濃度部（画像パターン部）は、所定の合成画像Ｉｃ（９）が有すべき画像パターン（数字の９）と同じ画像パターンを構成する矩形パターン部から形成される。
従って、第１画像Ｉａ（９）は数字の８を表す画像パターンを有し、第２画像Ｉｂ（９）は数字の９を表す画像パターンを有することになる。これにより、第１画像Ｉａ（９）が有する画像パターンが、所定の合成画像Ｉｃ（９）が有することとなる画像パターンと異なる画像パターンに設定されることになる。
【００５７】
上述した第１画像Ｉａ（ｎ）と第２画像Ｉｂ（ｎ）の一例においては、数字の０、１、３、４及び６〜９をそれぞれ表す所定の合成画像Ｉｃ（ｎ）については、第１画像Ｉａ（ｎ）の画像パターン部が、所定の合成画像Ｉｃ（ｎ）の低濃度部（画像パターン部）を形成することとなる矩形パターン部に、該矩形パターン部に含まれていない矩形パターン部を、縦方向に延びている４つの矩形パターン部(81)(82)(83)(84)から選択してダミーの画像パターン部として追加するという第１のルールに従って形成されている。尚、４つの矩形パターン部(81)(82)(83)(84)に選択可能な矩形パターン部がない場合には、ダミーの画像パターン部は追加されない。
【００５８】
又、数字の０、１、３、４及び６〜９をそれぞれ表す所定の合成画像Ｉｃ（ｎ）については、第２画像Ｉｂ（ｎ）が、所定の合成画像Ｉｃ（ｎ）の低濃度部（画像パターン部）を形成することとなる矩形パターン部に、該矩形パターン部に含まれていない矩形パターン部を、横方向に延びている３つの矩形パターン部(85)(86)(87)から選択してダミーの画像パターン部として追加するという第２のルールに従って形成されている。尚、３つの矩形パターン部(85)(86)(87)に選択可能な矩形パターン部がない場合には、ダミーの画像パターン部は追加されない。
【００５９】
一方、数字の２と５をそれぞれ表す所定の合成画像Ｉｃ（ｎ）については、第１画像Ｉａ（ｎ）と第２画像Ｉｂ（ｎ）の両方の画像が、上記第１のルールに従って形成されている。
【００６０】
尚、第１画像Ｉａ（ｎ）と第２画像Ｉｂ（ｎ）を形成する上記第１ルール及び第２ルールは、一例に過ぎない。例えば、第１画像Ｉａ（ｎ）と第２画像Ｉｂ（ｎ）の両方の画像が、上記第２のルールに従って形成されてもよい。又、第１画像Ｉａ（ｎ）が第２のルールに従って形成され、第２画像Ｉｂ（ｎ）が第１のルールに従って形成されてもよい。勿論、第１画像Ｉａ（ｎ）と第２画像Ｉｂ（ｎ）を形成するルールは、これらに限られるものではない。
【００６１】
上述した第１画像Ｉａ（ｎ）と第２画像Ｉｂ（ｎ）がそれぞれ第１液晶表示パネル(１)と第２液晶表示パネル(２)に表示されて、第１液晶表示パネル(１)の前面に対して所定の角度範囲内から画像を観察した場合、第１液晶表示パネル(１)に表示されている第１画像Ｉａ（ｎ）と第２液晶表示パネル(２)に表示されている第２画像Ｉｂ（ｎ）とが重なり合うことになる。このとき、所定の角度範囲は、狭い角度範囲、具体的には例えば画像表示装置の利用者が第１液晶表示パネル(１)のほぼ正面から画像を確認した場合にのみ第１画像Ｉａ（ｎ）と第２画像Ｉｂ（ｎ）とが重なることとなる角度範囲となる。
【００６２】
従って、図３（ｃ）〜図１２（ｃ）に示す様に、第１画像Ｉａ（ｎ）と第２画像Ｉｂ（ｎ）の低濃度部（画像パターン部）どうしの重複領域により所定の合成画像Ｉｃ（ｎ）の低濃度部（画像パターン部）が形成されることになる。このとき、第１画像Ｉａ（ｎ）に含まれているダミーの画像パターン部は、第２画像Ｉｂ（ｎ）の内、所定の合成画像Ｉｃ（ｎ）の高濃度部を形成するバックグランド部に重なることになる。又、第２画像Ｉｂ（ｎ）に含まれているダミーの画像パターン部は、第１画像Ｉａ（ｎ）の内、所定の合成画像Ｉｃ（ｎ）の高濃度部を形成するバックグランド部に重なることになる。よって、所定の角度範囲内からは、ダミーの画像パターン部は視認されることがなく、第１画像Ｉａ（ｎ）と第２画像Ｉｂ（ｎ）の高濃度部（バックグランド部）全体により所定の合成画像Ｉｃ（ｎ）の高濃度部（バックグランド部）が形成されることになる。その結果、第１画像Ｉａ（ｎ）と第２画像Ｉｂ（ｎ）とから所定の合成画像Ｉｃ（ｎ）が生成されることになる。このとき、第１画像Ｉａ（ｎ）と第２画像Ｉｂ（ｎ）は個々に視認されることがない。
【００６３】
これに対し、第１液晶表示パネル(１)の前面に対して所定の角度範囲外から画像を観察した場合、第１画像Ｉａ（ｎ）と第２画像Ｉｂ（ｎ）とが互いにずれることになる。これは、第１液晶表示パネル(１)側の液晶と第２液晶表示パネル(２)側の液晶とが、ガラス板とスペーサ(41)の厚さ寸法分だけ離間して配置されているからである。
【００６４】
従って、所定の角度範囲外から画像を観察した場合、第１画像Ｉａ（ｎ）に含まれているダミーの画像パターン部は、第２画像Ｉｂ（ｎ）のバックグランド部に重なり難くなり、又、第２画像Ｉｂ（ｎ）に含まれているダミーの画像パターン部は、第１画像Ｉａ（ｎ）のバックグランド部に重なり難くなる。よって、所定の角度範囲外からは、ダミーの画像パターン部を含む第１画像Ｉａ（ｎ）と第２画像Ｉｂ（ｎ）とが個々に視認され、所定の合成画像Ｉｃ（ｎ）は視認されることがなくなる。ここで、第１画像Ｉａ（８）と第２画像Ｉｂ（８）を除いて、第１画像Ｉａ（ｎ）と第２画像Ｉｂ（ｎ）の少なくとも何れか一方の画像が有する画像パターンは、所定の合成画像Ｉｃ（ｎ）が有することとなる画像パターンと異なる画像パターンに設定されている。このため、所定の角度範囲外からでは、所定の合成画像Ｉｃ（ｎ）がどのような画像であるかを認識することが困難となる。
【００６５】
よって、画像表示装置の利用者以外の者が利用者の背後から画像を観察した場合であっても、利用者以外の者は、第１液晶表示パネル(１)の前面に対して所定の角度範囲外からしか画像を観察することが出来ないので、利用者以外の者には、第１画像Ｉａ（ｎ）と第２画像Ｉｂ（ｎ）とが個々に視認されるだけである。従って、上記画像表示装置によれば、利用者以外の者による所定の合成画像Ｉｃ（ｎ）の視認が防止されることになる。よって、上記画像表示装置において秘匿性の高い合成画像を表示した場合でも、利用者以外の者には該合成画像が認識され難く、その結果、該合成画像の秘匿性が維持されることになる。
【００６６】
図１３は、上記画像表示装置をＡＴＭ（Automated  Teller  Machine）に適用したときに表示される画像の一例を示す図である。図１３に示す様に、ＡＴＭの利用者が暗証番号を入力する際に、画像表示装置において、数字の０〜９をそれぞれ表す所定の合成画像Ｉｃ（０）〜Ｉｃ（９）をマトリックス状に配列して表示させることが出来る。
【００６７】
ここで、第１液晶表示パネル(１)の前面には、該前面を覆って、光透過性を有する入力用タッチパネルを設置することが出来る。これにより、ＡＴＭの利用者は、入力用タッチパネルの内、所定の合成画像Ｉｃ（０）〜Ｉｃ（９）と重なる領域に触れることにより、数字を入力することが可能となる。
【００６８】
図１３に示す所定の合成画像Ｉｃ（０）〜Ｉｃ（９）を生成するべく、第１液晶表示パネル(１)には、図１４に示す様に第１画像Ｉａ（０）〜Ｉａ（９）がマトリックス状に配列して表示される。又、第２液晶表示パネル(２)には、図１５に示す様に第２画像Ｉｂ（０）〜Ｉｂ（９）が、第１画像Ｉａ（０）〜Ｉａ（９）と同じ配列で表示される。ここで、第１画像Ｉａ（０）〜Ｉａ（９）と第２画像Ｉｂ（０）〜Ｉｂ（９）は、ＡＴＭの利用者が第１液晶表示パネル(１)のほぼ正面から画像を確認した場合にのみ第１画像Ｉａ（０）〜Ｉａ（９）と第２画像Ｉｂ（０）〜Ｉｂ（９）とがそれぞれ重なることとなる様に、第１液晶表示パネル(１)と第２液晶表示パネル(２)に表示される。
【００６９】
従って、ＡＴＭの利用者が暗証番号を入力する場合、該利用者は、第１液晶表示パネル(１)のほぼ正面から所定の合成画像Ｉｃ（０）〜Ｉｃ（９）を視認することになる。これに対し、ＡＴＭの利用者以外の者が利用者の背後から画像を観察した場合であっても、利用者以外の者は、第１液晶表示パネル(１)の前面に対して斜め方向からしか画像を観察することが出来ないので、利用者以外の者には、図１４に示す第１画像Ｉａ（０）〜Ｉａ（９）と、図１５に示す第２画像Ｉｂ（０）〜Ｉｂ（９）とが個々に視認されるだけである。よって、ＡＴＭの利用者が入力用タッチパネルを操作して暗証番号を入力した場合に、該利用者以外の者が入力動作を見ていた場合でも、該利用者以外の者は、利用者がどの数字を入力したかを認識することが出来ない。よって、暗証番号の秘匿性が維持されることになる。
【００７０】
又、上記第１画像Ｉａ（０）〜Ｉａ（９）の内、第１画像Ｉａ（３）、Ｉａ（６）、Ｉａ（８）及びＩａ（９）は、それらの画像パターンが同じ数字の８を表す様に形成されている。又、上記第２画像Ｉｂ（０）〜Ｉｂ（９）の内、第２画像Ｉｂ（１）、Ｉｂ（３）及びＩｂ（７）は、それらの画像パターンが同じ数字の３を表す様に形成され、第２画像Ｉｂ（５）及びＩｂ（６）は、それらの画像パターンが同じ数字の６を表す様に形成され、第２画像Ｉｂ（８）及びＩｂ（０）は、それらの画像パターンが同じ数字の８を表す様に形成され、第２画像Ｉｂ（４）及びＩｂ（９）は、それらの画像パターンが同じ数字の９を表す様に形成されている。
【００７１】
従って、第１画像Ｉａ（０）〜Ｉａ（９）と第２画像Ｉｂ（０）〜Ｉｂ（９）とがＡＴＭの利用者以外の者により個々に視認された場合であっても、該利用者以外の者は、第１画像Ｉａ（０）〜Ｉａ（９）と第２画像Ｉｂ（０）〜Ｉｂ（９）とから生成される所定の合成画像Ｉｃ（０）〜Ｉｃ（９）の画像パターンが表す数字を推測することが出来ない。
【００７２】
図１６は、上記画像表示装置の第１変形例の構成を示すブロック図である。図１６に示す様に、画像表示手段(５)には、第１画像表示部(51)により第１液晶表示パネル(１)に表示される第１画像Ｉａ（ｎ）の表示位置と、第２画像表示部(52)により第２液晶表示パネル(２)に表示される第２画像Ｉｂ（ｎ）の表示位置とを調整する調整部(53)が更に具えられていてもよい。
【００７３】
ここで、調整部(53)には、第１画像Ｉａ（ｎ）と第２画像Ｉｂ（ｎ）が重なり合うべき所定の角度方向に関する情報が入力される。調整部(53)は、該情報に基づいて第１画像Ｉａ（ｎ）の表示位置と第２画像Ｉｂ（ｎ）の表示位置とを調整して、第１画像Ｉａ（ｎ）と第２画像Ｉｂ（ｎ）とを第１液晶表示パネル（１）の前面に対する所定の角度方向において重ね合わせる。
【００７４】
上記第１変形例に係る画像表示装置によれば、所定の合成画像Ｉｃ（ｎ）の視認が可能となる所定の角度方向を調整することが可能となる。例えば、ＡＴＭの利用者が入力用タッチパネルを操作することにより、画像表示装置の調整部(53)に所定の角度方向に関する情報を入力して、所定の角度方向を調整することが可能となる。又、所定の角度方向に関する情報をキャッシュカードに記録しておき、該キャッシュカードから読み出された情報が調整部(53)に入力されて、所定の角度方向が調整されてもよい。これにより、ＡＴＭの利用者に応じて、所定の角度方向が変更されることになる。
【００７５】
図１７(ａ)〜図１７（ｃ）はそれぞれ、上記画像表示装置の第２変形例において表示される第１画像、第２画像、及び所定の合成画像を示す図である。尚、図１７(ａ)〜図１７（ｃ）では、特に第１画像Ｉａ（１）、第２画像Ｉｂ（１）、及び所定の合成画像Ｉｃ（１）がそれぞれ示されている。
図１７（ｂ）に示す様に、第２液晶表示パネル(２)には、第２画像Ｉｂ（１）の低濃度部（画像パターン部）が太く表示されてもよい。具体的には、第２液晶表示パネル(２)に表示される第２画像Ｉｂ（１）の低濃度部（画像パターン部）の幅寸法が、第１液晶表示パネル(１)に表示される第１画像Ｉａ（１）の低濃度部（画像パターン部）の幅寸法よりも大きく設定される。他の第２画像Ｉｂ（０）及びＩｂ（２）〜Ｉｂ（９）についても同様の設定が可能である。
【００７６】
これにより、第１液晶表示パネル(１)の前面に対して所定の角度範囲内から、所定の合成画像Ｉｃ（ｎ）を確実に視認することが可能となる。即ち、図１８（ａ）に示す様に第１液晶表示パネル(１)の前面に垂直な方向(91)から画像を視認した場合、図１９（ａ）に示す様に垂直な方向(91)に対して右側に所定の角度θ１だけ傾いた方向(92)から画像を視認した場合、並びに、図２０(ａ)に示す様に垂直な方向(91)に対して左側に所定の角度θ２だけ傾いた方向(93)から画像を視認した場合の何れの場合においても、図１８（ｂ）〜図２０（ｂ）に示す様に、第１画像Ｉａ（１）の低濃度部（画像パターン部）の内、所定の合成画像Ｉｃ（１）の低濃度部を形成することとなる右側上段の矩形パターン部(83)と右側下段の矩形パターン(84)が、第２画像Ｉｂ（１）の低濃度部（画像パターン部）に重なることになる。
【００７７】
図２１は、上記画像表示装置の第３変形例の構成を示すブロック図である。図２１に示す様に、画像表示手段(５)には、第１画像表示部(51)により第１液晶表示パネル(１)に表示される第１画像Ｉａ（０）〜Ｉａ（９）の配列状態と、第２画像表示部(52)により第２液晶表示パネル(２)に表示される第２画像Ｉｂ（０）〜Ｉｂ（９）の配列状態とを、これらの表示が実行される毎に変更する配列変更部(54)が更に具えられていてもよい。
【００７８】
これにより、上記第３変形例に係る画像表示装置をＡＴＭに適用して、所定の合成画像Ｉｃ（０）〜Ｉｃ（９）の表示を実行する毎に、それらの配列状態を、元の配列状態から変更することが可能となる。例えば、所定の合成画像Ｉｃ（０）〜Ｉｃ（９）の配列状態を、図１３に示す配列状態から図２２に示す配列状態に変更することが可能である。従って、ＡＴＭにおいて暗証番号を入力するための画像の表示が実行される毎に、ＡＴＭの利用者の入力動作が変わることになる。よって、利用者以外の者にＡＴＭの利用者の入力動作を見られた場合でも、該利用者以外の者は、入力動作から暗証番号の数字を推測することは出来ない。
【００７９】
尚、本発明の各部構成は上記実施の形態に限らず、特許請求の範囲に記載の技術的範囲内で種々の変形が可能である。例えば、第１液晶表示パネル(１)に表示される第１画像と第２液晶表示パネル(２)に表示される第２画像とから生成される所定の合成画像の画像パターンは、数字に限らず、文字や図形等を表すものであってもよい。又、画像パターン部、バックグランド部、ダミーの画像パターン部、矩形パターン部のそれぞれの形状は、上記実施形態の形状の限られるものではない。
【００８０】
上記画像表示装置において、第１液晶表示パネル(１)と第２液晶表示パネル(２)に第１画像と第２画像をそれぞれ表示させる毎に、第１画像と第２画像に含まれるダミーの画像パターン部の形状、表示位置等を変更してもよい。
【００８１】
上記画像表示装置において、第１画像の低濃度部(画像パターン部)と第２画像の低濃度部（画像パターン部）とが、黄色等の色や模様が付されて表示されてもよい。これにより、第１画像と第２画像とから生成される所定の合成画像の低濃度部（画像表示パターン部）にも色や模様が付されることになり、従って、高濃度部（バックグランド部）への光の漏れが生じた場合であっても、所定の合成画像の画像パターンが見え易くなる。
【００８２】
上記画像表示装置に採用した各種構成は、３つ以上の液晶表示パネルを具えた画像表示装置にも適用することが可能である。
【符号の説明】
【００８３】
(１)  第１液晶表示パネル
(２)  第２液晶表示パネル
(５)  画像表示手段
(51)  第１画像表示部
(52)  第２画像表示部
(53)  調整部
(６)  メモリ
Ｉａ（ｎ）  第１画像
Ｉｂ（ｎ）  第２画像
Ｉｃ（ｎ）  所定の合成画像
【図１】
2011100052.tif 000003
【図２】
2011100052.tif 000004
【図３】
2011100052.tif 000005
【図４】
2011100052.tif 000006
【図５】
2011100052.tif 000007
【図６】
2011100052.tif 000008
【図７】
2011100052.tif 000009
【図８】
2011100052.tif 000010
【図９】
2011100052.tif 000011
【図１０】
2011100052.tif 000012
【図１１】
2011100052.tif 000013
【図１２】
2011100052.tif 000014
【図１３】
2011100052.tif 000015
【図１４】
2011100052.tif 000016
【図１５】
2011100052.tif 000017
【図１６】
2011100052.tif 000018
【図１７】
2011100052.tif 000019
【図１８】
2011100052.tif 000020
【図１９】
2011100052.tif 000021
【図２０】
2011100052.tif 000022
【図２１】
2011100052.tif 000023
【図２２】
2011100052.tif 000024